(57)【要約】【課題】本発明の目的は、デザイン的に違和感なくＲＦＩＤタグを実装でき、ＲＦＩＤタグの廃棄及び再利用をしやすくした衣服の提供にある。更には、その衣服にＲＦＩＤタグを実装することでスマートフォンの利便性を高めることにある。【解決手段】データを記憶するＩＣチップとデータを非接触で送受信するアンテナと防水性を備えたＲＦＩＤタグを挿入及び取り出しできるポケットを、衣服のカフスやポケットや前立てや襟に位置し且つ表側生地と裏側生地が重なっている箇所に設けることで、衣服のデザイン性を損なわずにＲＦＩＤタグを違和感なく衣服に搭載でき、またＲＦＩＤタグの廃棄及び再利用を容易にする。【選択図】図１
2017125274.tif 000002
【特許請求の範囲】
【請求項１】
衣服であって、
表側生地と裏側生地を重ね合わせている箇所の内、
カフス、
または袖口を起点に肩へ向かって６０ｍｍの範囲の箇所、
または前立て、
またはフロントラインから横に６０mmの範囲、
または左側前身ごろで左右に前身ごろを分離するかボタン留めする側の右端から左に向かって６０ｍｍの範囲、
または右側前身ごろで左右に前身ごろを分離するかボタン留めする側の左端から右に向かって６０ｍｍの範囲、
または襟、
またはラペル、
または剣ボロ、
またはポケットＡの開口部の折り返し箇所、
またはフラップのいずれか若しくは複数個所において、
ＲＦＩＤタグを挿入及び取り出し可能なポケットＢを形成し、
前記ポケットＢの収納箇所は前記表側生地と前記裏側生地の中間もしくは前記裏側生地の前記中間とは反対側に形成し、
前記ポケットＢの開口部は、前記ポケットＢの収納品の飛び出しを防ぐ引っかかり手段を持つか、蓋手段をもつことを特徴とする衣服。
【請求項２】
衣服であって、
前記衣服の裏側に形成され且つＲＦＩＤタグを挿入及び取り出し可能なポケットＢを持ち、
前記ポケットＢ以外の生地同士の縫合部もしくは前記ポケットＢ以外の生地を折り返して縫合している箇所に前記ポケットＢが縫合され、
前記ポケットＢの開口部は、前記ポケットＢの収納品の飛び出しを防ぐ引っかかり手段を持つか、蓋手段をもつことを特徴とする衣服。
【請求項３】
衣服であって、
ポケットＡを持ち、
前記ポケットＡの収納箇所の裏側に、ＲＦＩＤタグを挿入及び取り出し可能なポケットＢを形成し、
前記ポケットＢの開口部は、前記ポケットＢの収納品の飛び出しを防ぐ引っかかり手段を持つか、蓋手段を持ち、
前記開口部は前記ポケットＡの収納領域の反対側に設けることを特徴とする衣服。
【請求項４】
前記ポケットＢにＲＦＩＤタグを挿入していることを特徴とした請求項１乃至３記載の衣服。
【発明の詳細な説明】
【技術分野】
【０００１】
本発明はＲＦＩＤタグを装着可能なポケットを設けた衣服に関するものである。
【背景技術】
【０００２】
スマートフォンのアプリケーションを起動する際のシーケンスは、ステップ１でスマートフォン起動、ステップ２でタッチ画面をスワイプして目的のアプリケーションを探し、ステップ３で目的のアプリケーションのアイコンを押して起動と、３ステップあり、手間が掛かる。
また上記起動のステップ中はスマートフォンに注目せねばならず、別の作業をしづらく機会損失につながることがあった。
【０００３】
これを改善する方法としてＲＦＩＤタグを用いる方法がある。
ＲＦＩＤタグに予めスマートフォン内の所定アプリケーションの起動命令を登録しておき、スマートフォンをＲＦＩＤタグにかざすことで、所定アプリケーションを迅速に起動できる。
【０００４】
特許文献１には電子タグを取り付けた衣服が提案されている。特許文献１には、スマートフォンのアプリケーション起動についての言及はないが、電子タグをスマートフォン内の所定アプリケーションの起動命令を登録したＲＦＩＤタグにすれば、スマートフォンを衣服のＲＦＩＤタグ格納場所にかざすことで、スマートフォンの所定アプリケーションを迅速に起動できる。
【０００５】
しかし、特許文献１記載の衣服の図では、衣服の表側にタグを格納する箇所が見えるため、デザイン的な制限が発生し、衣服によっては違和感を感じさせてしまう。
【０００６】
特許文献２にはＲＦＩＤタグを格納した衣服用ボタンが提案されている。この衣服用ボタンを衣服に取り付け、衣服用ボタンに格納するＲＦＩＤタグにスマートフォン内の所定アプリケーションの起動命令を登録すれば、スマートフォンをこの衣服用ボタンにかざすことで、スマートフォンの所定アプリケーションを迅速に起動できる。
【０００７】
しかし、衣服用ボタンの内側にＲＦＩＤタグを格納することで、衣服用ボタンの寸法・形状が制限され、デザイン的な制限が発生してしまう。また衣服を破棄する際、衣服用ボタンを再利用するため衣服からボタンをはずすには、衣服用ボタンを衣服表側から見える部品と衣服裏側から留めている部品と分離せねばならないため手間がかかる。また特許文献２記載形状の衣服用ボタンでなく、縫い付け型の衣服用ボタンであったとしても、衣服用ボタンを再利用するには縫い付けの糸を切らなければならず手間がかかる。また衣服用ボタンの再利用先の衣服も、衣服用ボタンの形状によっては違和感を感じさせてしまうため、再利用しづらい。
【先行技術文献】
【特許文献】
【０００８】
【特許文献１】特開平１１−３１２２２４
【特許文献２】特許５１６６９０４
【発明の概要】
【発明が解決しようとする課題】
【０００９】
本発明の目的は、デザイン的に違和感なくＲＦＩＤタグを実装でき、ＲＦＩＤタグの廃棄及び再利用をしやすくした衣服の提供にある。更には、その衣服にＲＦＩＤタグを実装することでスマートフォンの利便性を高めることにある。
【課題を解決するための手段】
【００１０】
データを記憶するＩＣチップとデータを非接触で送受信するアンテナと防水性を備えたＲＦＩＤタグを挿入及び取り出しできるポケットを、衣服のカフスやポケットの縁等に位置し且つ表側生地と裏側生地が重なっている箇所に設けることで、衣服のデザイン性を損なわずにＲＦＩＤタグを違和感なく衣服に搭載でき、またＲＦＩＤタグの廃棄及び再利用を容易にする。
【発明の効果】
【００１１】
本発明の衣服に設けられるＲＦＩＤタグ用ポケットは、衣服の表側生地と裏側生地の中間、もしくは裏側生地側に形成していることと、元々表側生地と裏側生地が重なっていて厚みがあり衣服の内側が透けて見えづらい箇所に設けていることから、衣服の表側からはＲＦＩＤタグ用ポケットは見えず、デザイン的な違和感を発生させることがない。
【００１２】
また元々表側生地と裏側生地が重なっていて厚みがあり変形しにくい箇所にポケットを設けるため、ＲＦＩＤタグをポケットにいれたまま衣服を洗濯をして乾燥させても、 ＲＦＩＤタグの輪郭が衣服の表側に現れづらく、 違和感を発生させることがない。
【００１３】
本発明の衣服は、ＲＦＩＤタグをＲＦＩＤタグ用ポケットに挿入するため、ＲＦＩＤタグを縫い付ける方式に比べ、ＲＦＩＤタグの交換及び廃棄が容易で、衣服を廃棄する際にはＲＦＩＤタグを別の衣服に再利用することが容易である。
【００１４】
本発明の衣服のＲＦＩＤタグ用ポケットは、1日に何度も出し入れするものをいれるには不向きな箇所にあることと、更には開口部に引っかかり手段が設けられ1日に何度も出し入れするものをいれるには不向きな形状のため、間違って混入物が入る可能性は低く、ＲＦＩＤタグが混入物により破損する可能性を低減でき、混入物がＲＦＩＤタグ用ポケットに入り使用者が混入物を紛失する可能性を低減できる。
【００１５】
本発明の衣服のＲＦＩＤタグ用ポケットの開口部に設けられた引っかかり手段により、ＲＦＩＤタグを入れたまま洗濯してＲＦＩＤタグがＲＦＩＤタグ用ポケットから飛び出してしまう可能性を低減しており、洗濯の度にＲＦＩＤタグを取り出し、洗濯後に挿入する手間を省いている。
【００１６】
本発明の衣服は、カフス等の使用者がわかりやすく、目視確認しなくてもわかる位置にＲＦＩＤタグを設置できるため、ＲＦＩＤタグを探すことなく素早く、スマートフォンをRFIDタグにかざすことができ、ＲＦＩＤタグによるスマートフォンのアプリケーション起動が迅速にできる。これにより、スマートフォンのアプリケーションを起動するまでの手間と機会損失を低減できる。
【００１７】
天気予報等のスマートフォンの１画面分の情報が入手できれば十分なアプリケーションを起動する際、本発明の衣服によれば、スマートフォンのタッチパネルを触る必要がないため、使用者が手袋を嵌めていたとしてもアプリケーションを起動でき、情報を得た後はスマートフォンの電源ボタンを押して電源オフするだけで済むので、従来であれば手袋を外してスマートフォンのタッチパネルを操作し目的のアプリケーションを起動し情報を得てからスマートフォンの電源をオフし手袋を嵌めるといった手間を低減し、迅速に情報を得ることが可能となる。
【００１８】
従来であればスマートフォンの画面を見つつアプリケーションを起動しなければならなかったのに対し、本発明の衣服を使うと、スマートフォンを目視で確認しつつアプリケーションを起動することが不要となり、別のことに集中しつつアプリケーションを起動することができ、機会損失及び物理的損失を低減し、より効果的にスマートフォンを使うことが可能となる。
【００１９】
例えば使用者が他の人と会話をしている際に、スマートフォンのアプリケーションで入手できる情報が必要となっても、本発明の衣服を用いれば、相手との視線を外さずに会話を続けつつ、スマートフォンのアプリケーションを起動できるので、従来より会話を円滑にすることが可能となる。
【００２０】
例えば使用者が写真に収めたくなる猫が、使用者の前を通り過ぎようとしたとき、スマートフォンのカメラアプリケーションを起動しようとすると、従来であればスマートフォンを見ながら起動するため、その間に猫を見失いシャッターチャンスを逃す可能性もあったが、本発明の衣服であれば、使用者が猫を見つつカメラアプリケーションを起動できるため、スマートフォンのアプリケーションを起動するまでの時間で猫を見失うことなくなりシャッターチャンスを逃すことを少なく、つまりは機会損失を低減することができる。
【００２１】
また、タッチパネル操作でのスマートフォンのアプリケーションの起動では、昨今スマートフォンの大型化が進んでいるため、スマートフォンを片手で持ったままアプリケーションを起動しようとするとスマートフォンを落とす可能性が高まっており、その為左手でスマートフォンを持ち、右手でタッチパネルを操作してアプリケーションを起動する等両手を使うことが多いのに対し、本発明の衣服では、片手でスマートフォンのアプリケーションを起動でき、使い勝手が良く、スマートフォンを落とす物理的損失を低減できる。
【図面の簡単な説明】
【００２２】
【図１】図１はＹシャツでの実施方法を示した説明図である。（実施例１）
【図２】図２はカフスを裏側生地から見た図である。（実施例１）
【図３】図３はカフスを裏側生地から見た図で、縫目の長さを短くした例である。（実施例１）
【図４】図４はカフスを裏側生地から見た図である。（実施例２及び３）
【図５】図５はカフスの組み立て前の部品の上下関係を示した図である。（実施例２及び３）
【図６】図６はカフスの組み立て前の部品の上下関係を示した図である。（実施例２及び３）
【図７】図７はＲＦＩＤタグ用ポケットの一例で、生地を図５とは逆方向から裏側生地に縫合した例示した図である。（実施例２及び３及び５）
【図８】図８はＲＦＩＤタグ用ポケットの一例で、蓋をつけた例である。（実施例２及び３及び５）
【図９】図９はＲＦＩＤタグ用ポケットの一例で、面ファスナーをつけた例である。（実施例２及び３及び５）
【図１０】図１０はＲＦＩＤタグ用ポケットの一例で、開口部を縫目で作った例である。（実施例２及び３）
【図１１】図１１はＲＦＩＤタグ用ポケットの一例で、ファスナーをつけた例である。（実施例２及び３及び５）
【図１２】図１２はジャケットやフォーマル服での実施方法を示した図である。（実施例３）
【図１３】図１３はＴシャツでの実施方法を示した図である。（実施例４）
【図１４】図１４は袖口周辺の拡大図である。（実施例４）
【図１５】図１５はズボンを後ろから見た図である。（実施例５）
【図１６】図１６は後ろポケットをズボンから取り外した際の図である。（実施例５）
【発明を実施するための形態】
【実施例１】
【００２３】
図１は本発明の実施例１の衣服であり、Ｙシャツに本発明を適用した例を挙げる。
【００２４】
尚、本発明内で記載しているＲＦＩＤタグ３０はＲＦＩＤの一種であるＮＦＣ形式のタグを含む。
本発明内で記載しているスマートフォンはＮＦＣリーダーを搭載するスマートフォンを対象としている。
【００２５】
図１の衣服８において、１はＲＦＩＤタグ用ポケット、２は襟、３はポケット、４は剣ボロ、５はカフス、６及７は前立てである。
【００２６】
ＲＦＩＤタグ用ポケット１はＲＦＩＤタグ３０を出し入れすることを目的にしているため、他の物を混入させてＲＦＩＤタグ３０を傷付けてしまわないよう、また金属である硬貨を入れてＲＦＩＤタグ３０とスマートフォン間の通信を妨げてしまわないよう、衣服８を着用したままではＲＦＩＤタグ用ポケット１への物の出し入れが難しい箇所、または従来の衣服ではなかなかポケットとしては使われていなかった箇所に設置する。
【００２７】
襟２は自分で見るのが難しい為、ポケット折り返し箇所３ではポケット折り返し箇所３の裏側を表側にひっくり返しつつ物の出し入れをしなければならず難しい為、剣ボロ４及びカフス５は、剣ボロ４とカフス５がついている方の手が使えず片手で物の出し入れをしなければならず難しい為、前立て６及び前立て７は物理的な難しさはないが人前で前立てを外すと下着が見えてしまうため出し入れする機会が制限される為、それぞれの箇所のＲＦＩＤタグ用ポケット１への物の出し入れは難しい。
【００２８】
ＲＦＩＤタグ用ポケット１は、従来衣服の表側生地と裏側生地が重なっている箇所である襟２またはポケット折り返し箇所３または剣ボロ４またはカフス５または前立て６または前立て７の、表側生地と裏側生地に挟まれる箇所に設けるため、衣服８の表側からはＲＦＩＤタグ用ポケット１は見えず、衣服のデザイン性を損なわず違和感は発生しない 。
【００２９】
また表側生地と裏側生地が重なっていて厚みがあり変形しにくい箇所にＲＦＩＤタグ用ポケット１を設けるため、ＲＦＩＤタグ３０をＲＦＩＤタグ用ポケット１にいれたまま衣服を洗濯をして乾燥させても、 ＲＦＩＤタグ３０の輪郭が衣服の表側に現れづらく、違和感は発生しない。
【００３０】
ＲＦＩＤタグ３０は、データを記憶するＩＣチップとデータを非接触で送受信するアンテナと防水性を備えたものであり、ここでは２８ｍｍ直径の円形の前提で記載する。ＲＦＩＤタグ３０の形状は、長方形型、バンド型等様々存在する。ここでは円形のものを代表として記載するが、使用を前提するＲＦＩＤタグ３０の形状に合わせてＲＦＩＤタグ用ポケット１の形状を変えることも可能である 。
【００３１】
図２はＲＦＩＤタグ用ポケット１を搭載したカフス５を、裏側生地から見た図である。襟２、ポケット折り返し箇所３、剣ボロ４、前立て６、前立て７も同様に図２のＲＦＩＤタグ用ポケット１を搭載している。
【００３２】
２０はカフス５の表側生地と裏側生地を縫合した縫目であり、２１はＲＦＩＤタグ用ポケット１の開口部、２２はＲＦＩＤタグ用ポケット１を形成するための縫合箇所である縫目、２３はカフス５留め用のボタン、２４はカフス５を留める為のボタン２３が入る穴、Ｌ１は開口部２１の幅、Ｌ２はＲＦＩＤタグ用ポケット１の収納箇所の幅、Ｙ１は縫目２０から開口部２１の中心までの距離である。
【００３３】
縫目２０と縫目２２で囲まれた領域が、ＲＦＩＤタグ用ポケット１となる。図２では縫目２２は縫目２０の袖口側から縫目２０の肩側まで縫合しているが、図３のように縫目２０の袖口側から縫目２０の肩側まで内の中央部分２６だけ縫合しても、ＲＦＩＤタグ３０をＲＦＩＤタグ用ポケット１に挿入した際の位置に変化は無いので、中央部分２６のみの縫合でも構わない。
【００３４】
使用者はＲＦＩＤタグ３０を開口部２１に入るようしならせながらＲＦＩＤタグ用ポケット１へ挿入する。本実施例では、ＲＦＩＤタグ用ポケット１に挿入したＲＦＩＤタグ３０が、衝撃及び振動により開口部２１から飛び出さないよう、開口部２１の幅Ｌ１をＲＦＩＤタグ用ポケット１の収納箇所の幅Ｌ２とＲＦＩＤタグ３０の直径より短くすることと、縫目２０から開口部２１の中心までの距離Ｙ１の範囲を、引っかかり手段として使用している。
【００３５】
発明者が行った試行では、Ｙシャツのカフス５にＲＦＩＤタグ用ポケット１を設け、そのＲＦＩＤタグ用ポケット１に挿入したＲＦＩＤタグ３０が外に出てしまわないように、開口部２１の形状は楕円形で、縫目２０から開口部２１の中心までの距離Ｙ１を４ｍｍとし、開口部２１の幅Ｌ１をＲＦＩＤタグ用ポケット１の収納箇所の幅Ｌ２よりも４ｍｍから１０ｍｍ短くしている。開口部２１の長さＬ１とＲＦＩＤタグ用ポケット１の収納箇所の幅Ｌ２の差が４ｍｍより小さいと、衣服の着用時や洗濯の際にＲＦＩＤ３０が外れやすく、差が１０ｍｍより大きいとＲＦＩＤタグ３０の挿入及び取り外しが困難であった為。
【００３６】
ただし開口部２１の幅Ｌ１と、ＲＦＩＤタグ用ポケット１の収納箇所の幅Ｌ２の差の適切な値は、衣服８の生地の伸縮性、ＲＦＩＤ３０タグの柔らかさ、ＲＦＩＤタグ３０の形状に影響を受けるため、試験を行い、それぞれの条件にあった値にする必要があるので、ここでは一例として発明者が試行した際の値を記載した。
【００３７】
またスマートフォンをＲＦＩＤ用ポケット１にかざす目印としてボタン２２を使える為、ＲＦＩＤ用ポケット１は ボタン２２に近い方が好ましい。
【００３８】
前立て６及び前立て7も同様に目印としてボタンを使える為、ＲＦＩＤ用ポケット１はボタンに近い方が好ましい。
【００３９】
剣ボロ４は元々衣服に占める面積が少ないため、剣ボロ４自体が目印になっているため、剣ボロ４とボタン間の距離は使い勝手に影響しない。
【００４０】
襟２はボタンがついていたとしても、使用者は元々目視することが難しい箇所についていることが多い為、襟２とボタン間の距離は使い勝手に影響しない。
【実施例２】
【００４１】
以下に本発明の実施例２を示す。
【００４２】
実施例２の衣服は実施例１とＲＦＩＤタグ用ポケットの構造を除き同じのため、同じ箇所の説明は省略する。
【００４３】
図４は実施例２のカフス５を裏側生地側から見た図を示す。
【００４４】
５Ｂはカフス５の裏側生地 、４０はＲＦＩＤタグ用ポケット、４１はＲＦＩＤタグ用ポケットの生地、４２は裏側生地５Ｂと生地４１を縫合する縫目、４３はＲＦＩＤタグ用ポケット４０の開口部である。
開口部４３は、実施例１と同様、ＲＦＩＤタグ用ポケットの収納箇所の幅よりも開口部４３の幅を狭めて、収納したＲＦＩＤタグ３０が、飛び出さないよう引っかかり手段として用いる。
【００４５】
図５は実施例２のカフス５の組み立て前の部品の上下関係を示した図である。
【００４６】
５Ａはカフス５の表側生地である。
生地４１は、表側生地５Ａと裏側生地５Ｂの中間に位置し、裏側生地５Ｂに縫合される。
【００４７】
実施例２の衣服は、実施例１よりも生地枚数が多い分、ＲＦＩＤタグ用ポケット４０が強くなり洗濯に対する耐久度が高くなる。
【００４８】
図６、図７、図８、図９、図１０はＲＦＩＤタグ用ポケット４０の一例であり、生地４１を図５とは逆方向から裏側生地５Ｂに縫合した例である。
【００４９】
図７は蓋をつけた例で、４４は蓋、４５は生地４１に取り付けられて蓋４４を固定するボタンである。
蓋４４をボタン４５で固定し、ＲＦＩＤタグ用ポケット４０からＲＦＩＤタグ３０が外に出ないようにしている。
【００５０】
図８はボタン４５でＲＦＩＤタグ用ポケット４０からＲＦＩＤタグ３０が外に出ないようにした例である。
【００５１】
図９は面ファスナーでＲＦＩＤタグ用ポケット４０からＲＦＩＤタグ３０が外に出ないようにした例である。
４６は生地４１側に取り付けられた雄側面ファスナー、４７は裏側生地５Ｂに取り付けられた雌側面ファスナーである。
雄側面ファスナー４６と雌側面ファスナー４７を重ねることで、ＲＦＩＤタグ用ポケット４０からＲＦＩＤタグ３０が外に出ないようにしている。
【００５２】
図１０は縫目４２でＲＦＩＤタグ用ポケット４０からＲＦＩＤタグ３０が外に出ないようにした例である。
４８は縫目４２により作られた開口部である。開口部４８の長さが、ＲＦＩＤタグ用ポケット４０の収納領域の幅とＲＦＩＤタグ３０の直径よりも短いことで、ＲＦＩＤタグ用ポケット４０からＲＦＩＤタグ３０が外に出ないようにしている。
【００５３】
図１１はファスナーでＲＦＩＤタグ用ポケット４０からＲＦＩＤタグ３０が外に出ないようにした例である。
４９はファスナーであり、ファスナー４９を閉じることで、ＲＦＩＤタグ用ポケット４０からＲＦＩＤタグ３０が外に出ないようにしている。
【実施例３】
【００５４】
以下に本発明の実施例３を示す。
【００５５】
図１２は実施例３の衣服５０を示す。衣服５０はジャケットやフォーマル服の形状となる。
【００５６】
実施例１及び２と異なり、実施例３は、襟２、剣ボロ５、カフス５、前立て６、前立て７が無い。
【００５７】
実施例１及び２と名前は異なるが、同じ箇所にある部位にＲＦＩＤタグ用ポケット４０を設ける。
【００５８】
５２はラペル、５３はフラップ、５５は袖口を起点に肩へ向かって６０ｍｍの範囲の箇所で以降では袖口近辺部位５５とし、５６は右側前身ごろで且つ左右に前身ごろを分離するかボタン留めする側の左端である５７から右に向かって６０ｍｍの範囲であり以降では右側前身ごろ左端近辺部位５６とし、５８は左側前身ごろで且つ左右に前身ごろを分離するかボタン留めする側の右端のフロントラインである５９から横に向かって６０ｍｍの範囲の箇所で以降ではフロントライン周辺部位５８とする。
【００５９】
ＲＦＩＤタグ用ポケット４０は、実施例２と同じ形状であり、説明は省略する。
【００６０】
袖口近辺部位５５及び右側前身ごろ左端近辺部位５６及びフロントライン周辺部位５８の６０ｍｍ範囲の根拠としては、広すぎると使用者がどの範囲にＲＦＩＤタグ３０が格納されているかわかりづらくなること、および発明者が確認及び検証したところ、市場でみられる衣服のカフス５及び前立て６及び前立て７が大よそ６０ｍｍ以内に収まっていることが確認でき、実施例１および２の衣服の扱いに慣れた使用者に操作上の違和感が発生しないこと、またジャケットにＲＦＩＤタグ用ポケット４０を上記６０ｍｍの範囲内に設置すると、衣服を見なくとも発明者はＲＦＩＤタグ用ポケット１内のＲＦＩＤタグ３０をスマートフォンに感知させることができたためである。
【実施例４】
【００６１】
以下に本発明の実施例４を示す。
【００６２】
実施例４では、洗濯表示タグ形状のものをＲＦＩＤタグ用ポケットと使用する例である。
【００６３】
図１３はＴシャツ６０を正面から見た図である。
【００６４】
６１は袖口、６２はＲＦＩＤタグ用ポケットである。
【００６５】
図１４は袖口６１周辺の拡大図である。
【００６６】
６３は袖口６１の生地を折り返して縫合した縫目、６４はＲＦＩＤタグ用ポケット６２の開口部を作る為の縫目である。
縫目６３により、ＲＦＩＤタグ用ポケット６２も縫合されている。
【００６７】
ＲＦＩＤタグ用ポケット６２は、洗濯表示タグを縫合することで作成可能であり、ポケット用生地が不要で、衣服の部品点数増やすことなく、追加可能である。
【実施例５】
【００６８】
以下に本発明の実施例５を示す。
【００６９】
実施例５は、ポケットの収納領域の外側にＲＦＩＤタグ用ポケットを設けた例であり、ズボンのポケットを例として記載する。
【００７０】
図１５はズボン７０を後ろから見た図である。
７１はズボン７０の後ろポケット、７２はＲＦＩＤタグ用ポケットである。
【００７１】
後ろポケット７１は上部を開口した袋形状になっており、袋形状の内側を収納領域としている。後ろポケット７１の収納領域とは反対側であり、別の表現では後ろポケット７１の外側の箇所にＲＦＩＤタグ用ポケット７２を縫い付けている。ＲＦＩＤタグ用ポケット７２は、且つズボン７０の表側から見えない箇所に位置する。
【００７２】
図１６は後ろポケット７１をズボン７０から取り外した際の図である。
７３は縫目、７４は開口部、７５は生地である。
【００７３】
後ろポケット７１の収納領域とは反対側に生地７５が縫目７３で縫合され、ＲＦＩＤタグ用ポケット７２を形成している。
【００７４】
ＲＦＩＤタグ用ポケット７２にＲＦＩＤタグ３０を入れるには、ズボン７０がはかれていない時に、ズボン７０を裏返しにする必要がある。
開口部７４が、後ろポケット７１の収納領域とは反対側にあるため、後ろポケット７１に入れた物が、ＲＦＩＤタグ用ポケット７２に混入することはない。
【００７５】
またＲＦＩＤタグ用ポケット７２は、実施例２で挙げた図７、図８、図９、図１１のＲＦＩＤタグ用ポケット４０の形状でも形成可能である。
【００７６】
本実施例の使用例として、後ろポケット７１にスマートフォンをいれると自動的にマナーモードに変える例が挙げられる。
ＲＦＩＤタグ用ポケット７２に、スマートフォンの動作モードをマナーモードに変更する命令を入れたＲＦＩＤタグを挿入しておくと、スマートフォンを後ろポケット７１に入れるだけで、マナーモードに切り替わるので、タッチパネル操作でのマナーモードへの切り替え時間を省略できつつ、スマートフォンを格納でき、利便性が高まる。
【符号の説明】
【００７７】
１    ＲＦＩＤタグ用ポケット
２    襟
３    ポケット
４    剣ボロ
５    カフス
６    前立て
７    前立て
８    衣服
２０  縫目
２１  開口部
２２  縫目
２３  ボタン
２４  穴
３０  ＲＦＩＤタグ
４０  ＲＦＩＤタグ用ポケット
４１  生地
４２  縫目
４３  開口部
４４  蓋
４５  ボタン
４６  雄側面ファスナー
４７  雌側面ファスナー
４８  開口部
４９  ファスナー
５０  衣服
５２  ラペル
５３  フラップ
５５  袖口近辺部位
５６  右側前身ごろ左端近辺部位
５７  右側前身ごろ左端
５８  フロントライン周辺部位
５９  フロントライン
６０  Ｔシャツ
６１  袖口
６２  ＲＦＩＤタグ用ポケット
６３  縫目
６４  縫目
７０  ズボン
７１  後ろポケット
７２  ＲＦＩＤタグ用ポケット
７３  縫目
７４  開口部
７５  生地
【図１】
2017125274.tif 000003
【図２】
2017125274.tif 000004
【図３】
2017125274.tif 000005
【図４】
2017125274.tif 000006
【図５】
2017125274.tif 000007
【図６】
2017125274.tif 000008
【図７】
2017125274.tif 000009
【図８】
2017125274.tif 000010
【図９】
2017125274.tif 000011
【図１０】
2017125274.tif 000012
【図１１】
2017125274.tif 000013
【図１２】
2017125274.tif 000014
【図１３】
2017125274.tif 000015
【図１４】
2017125274.tif 000016
【図１５】
2017125274.tif 000017
【図１６】
2017125274.tif 000018